(57)【要約】【課題】内容物放出装置付き容器内に貯留された内容物を効率よく改質することができる内容物放出装置付き容器を提供すること。【解決手段】  前記課題を解決するための手段は、内容物２Ｂを貯留する容器本体２と、前記容器本体２に設けられ、前記内容物２Ｂを容器本体２外へ放出する内容物放出装置とを備え、前記内容物放出装置は、前記内容物２Ｂが流通する放出流路と、前記放出流路に設けられ、前記内容物を改質する改質剤を収納する収納部８とを有することを特徴とする内容物放出装置付き容器である。【選択図】          図１
2006076648.tif 000002
【特許請求の範囲】
【請求項１】
内容物を貯留する容器本体と、前記容器本体に設けられ、前記内容物を容器本体外へ放出する内容物放出装置とを備え、
前記内容物放出装置は、前記内容物が流通する放出流路と、前記放出流路に設けられ、前記内容物を改質する改質剤を収納する収納部とを有することを特徴とする内容物放出装置付き容器。
【発明の詳細な説明】
【技術分野】
【０００１】
本発明は、内容物放出装置付き容器に関し、特に詳しくは、内容物放出装置付き容器に貯留された内容物を効率よく改質することができる内容物放出装置付き容器に関する。
【背景技術】
【０００２】
従来から、洗剤、化粧水等の内容物を入れる液体容器として、例えば、ガラス製又は樹脂製の容器本体に対し、その口部に、ポンプ装置が取り付けられたものがある。このポンプ装置は、バネで押し上げ状態に保持された昇降ヘッドを押し下げ操作することにより、内容物の放出が行えるようになっている。
【０００３】
ここで、このような内容物を放出する内容物放出装置付き容器においては、容器本体内に貯留された内容物に対して、別の性質を付与すること、または、内容物自体を改質させることが要望されている。
【発明の開示】
【発明が解決しようとする課題】
【０００４】
本発明は、内容物放出装置付き容器内に貯留された内容物を効率よく改質することができる内容物放出装置付き容器を提供することをその課題とする。
【課題を解決するための手段】
【０００５】
前記課題を解決するための手段として、
請求項１は、内容物を貯留する容器本体と、前記容器本体に設けられ、前記内容物を容器本体外へ放出する内容物放出装置とを備え、
前記内容物放出装置は、前記内容物が流通する放出流路と、前記放出流路に設けられ、前記内容物を改質する改質剤を収納する収納部とを有することを特徴とする内容物放出装置付き容器である。
【発明の効果】
【０００６】
本発明によれば、内容物を貯留する容器本体と、前記容器本体に設けられ、前記内容物を容器本体外へ放出する内容物放出装置とを備え、前記内容物放出装置は、前記内容物が流通する放出流路と、前記放出流路に設けられ、前記内容物を改質する改質剤を収納する収納部とを有することにより、内容物を効率よく改質することができる内容物放出装置付き容器を提供することができる。
【発明を実施するための最良の形態】
【０００７】
以下、本発明の実施の形態を図面に基づいて説明する。内容物放出装置付き容器の一例としてのポンプ付き容器１は、洗剤、化粧水、入浴剤等の内容物を吐出する容器である。なお、ポンプ付き容器１は、液体を吐出する容器であってもよく、液体を泡状にして泡を吐出する容器であってもよく、液体をガス状にしてガスを吐出する容器であってもよい。
【０００８】
ポンプ付き容器１は、容器本体２と、ポンプ装置３とを備えてなる。容器本体２は、内容物２Ｂを貯留し、一端が開口してなる開口部２Ａを有する。容器本体２の形状および材質は、特に制限はなく、用途に応じて選択可能である。容器本体２の材質としては、ガラス、樹脂、金属等を挙げることができる。
【０００９】
ポンプ装置３は、本発明における内容物放出装置としての機能を有し、前記容器本体２に対して、前記開口部２Ａ側に上下動可能に配置される。前記ポンプ装置３は、前記内容物２Ｂを改質する改質剤を収納する収納部を有する。
【００１０】
本実施形態においては、前記ポンプ装置３は、吸入管４と、ポンプ装置本体５とを備えている。なお、吸入管４およびポンプ装置本体５は、後述するように、内容物が流通する放出流路としての機能を有している。
【００１１】
なお、ポンプ装置本体５は、吸入管４の一端に接続され、前記吸入管４から吸引された前記内容物２Ｂを吐出する。ポンプ装置本体５は、ボタン５Ａを有し、このボタン５Ａを押すことによって、内容物２Ｂを吸引および吐出可能に形成されてなる。
【００１２】
前記吸入管４は、前記内容物２Ｂを吸入する。前記吸入管４は、吸入管本体６と、フィルター７と、本発明における収納部であるところの収納箱体８とを備えてなる。吸入管本体６は、管形状を有する。吸入管本体６は、吸入管４の他端側に相当する側に、前記内容物２Ｂを吸入する吸入口６Ａを有している。
【００１３】
フィルター７は、吸入口６Ａ側における前記吸入管本体６内部に設けられるとともに、前記内容物２Ｂを透過する。フィルター７としては、メッシュ等を挙げることができる。このように、フィルター７を備えることにより、内容物２Ｂに含まれた不純物を除去することができる。
【００１４】
収納箱体８は、前記内容物２Ｂを改質する改質剤９を収納する。収納箱体８は、前記吸入口６Ａ側における前記吸入管本体６外部に設けられ、前記内容物２Ｂが流通する多孔質構造８Ａを有する。このように、収納箱体８が前記吸入口６Ａ側に設けられることにより、収納箱体８を容易に製造することができる。
【００１５】
多孔質構造８Ａは、収納箱体８の先端、側面等のどの部分に設けられても良いし、全体が多孔質構造を有するものであってもよい。すなわち、内容物２Ｂを吸引することができる程度の径を有する孔が多数形成されている構造であればよい。
【００１６】
改質剤９は、前記内容物２Ｂを改質する。具体的に、改質剤９としては、トルマリン石、磁気体、ゲルマニウム、セラミックボール等を挙げることができる。また、セラミックボールとしては、例えば、トルマリンセラミックボール、麦飯石セラミックボール、ゼオライトセラミックボール、ホワイトコージライトセラミックボール、マイナスイオンセラミックボール、遠赤外線セラミックボール等を挙げることができる。
【００１７】
以下に、ポンプ付き容器１の作用を説明する。なお、内容物２Ｂの一例として、化粧水の場合を説明する。まず、ボタン５Ａを押すことによって、内容物２Ｂが吸引される。吸引された内容物２Ｂは、収納箱体８の多孔質構造８Ａを通過して、収納箱体８内の改質剤９に接触する。内容物２Ｂと接触した改質剤９は、改質剤９同士が接触するようになる。例えば、改質剤９がトルマリン石である場合には、トルマリン石同士が接触することによって、トルマリン石は、マイナスイオンを発生する。発生したマイナスイオンは、内容物２Ｂと共に、吸入口６Ａに吸引される。
【００１８】
ここで、トルマリンがマイナスイオンを発生する原理について述べる。トルマリン結晶は、全体的には柱状の結晶であるが、この結晶の両端の面が１２０度の角度で合わさった三面となっている。トルマリンの結晶の上側が、このような形になっていると、下側は１８０度ずれている。この上側がやや尖っていると、下側はやや平坦になっているのが基本形であり、この尖っているところがプラス極に帯電し、下側の平坦な部分がマイナス極に帯電する。
【００１９】
上記したように、トルマリンは、プラス極とマイナス極を有している。このトルマリンの周囲には、電気力線による電場が形成されている。ここで、空気中のマイナス電子はトルマリンのプラス極に吸い寄せられ、次々にプラス極側に運ばれる。プラス極側に運ばれたマイナス電子によって、トルマリンのマイナス極にあるマイナス電子が弾き出される。弾き出されたマイナス電子がマイナス極からプラス極に電気力線に沿って、運ばれる。このようにして、電場が形成される。
【００２０】
吸入口６Ａに吸引されたマイナスイオンを含む内容物２Ｂは、フィルター７を通過する。内容物２Ｂがフィルター７を通過する際に、内容物２Ｂに含まれた不純物を除去することができる。フィルター７を通過した内容物２Ｂは、ポンプ装置本体５を通過し、容器本体２外へ吐出される。容器本体２外へ吐出されたマイナスイオンを含む内容物２Ｂは、例えば、人体の皮膚に接触すると、内容物２Ｂ自体、すなわち、化粧水自体の効果の他に、内容物２Ｂがマイナスイオンを含むことによる、皮膚の活性化の効果を奏することができる。なぜならば、マイナスイオンによって、内容物２Ｂ中の水の分子集団（いわゆる、クラスター）を小さくすることができ、水のクラスターが小さな水は、人体への浸透力を高くすることができるからである。
【００２１】
なお、本発明は、前記実施形態に限定されるものではなく、本発明の目的を達成できる範囲での変形、改良は、本発明に含まれるものである。例えば、本発明における収納部であるところの収納箱体８は、前記吸入口６Ａ側における前記吸入管本体６外部に設けられているが、これに限られず、ポンプ装置３における内容物を吸引する吸引口側から内容物を吐出する吐出口側に到るまでのいずれの箇所に設けられていてもよい。
【００２２】
例えば、図２に示されるように、吸入管４の途中に本発明における改質剤９が収納される収納部４Ｂが設けられても良い。
【００２３】
また、図３に示されるように、ポンプ装置本体５の内部に本発明における改質剤９が収納される収納部５Ｂが設けられても良い。
【００２４】
前記実施形態において、例えば、内容物２Ｂが化粧水であり、改質剤９がトルマリン石である場合を挙げたが、これに限定されず、以下のような例を挙げることができる。例えば、内容物２Ｂが化粧水であり、改質剤９がマイナスイオンセラミックボールである場合には、マイナスイオンセラミックボール同士が接触すると、マイナスイオンセラミックボールは、マイナスイオンを発生する。発生したマイナスイオンは、上記したように、化粧水中の水分子を小さくする。水分子が小さくなると、皮膚に浸透しやすくなるという効果を得ることができる。
【００２５】
また、例えば、内容物２Ｂが入浴剤であり、改質剤９が遠赤外線セラミックボールである場合には、遠赤外線セラミックボール同士が接触すると、遠赤外線セラミックボールは遠赤外線を発生する。発生した遠赤外線は、人体の細胞や体液の分子を共振運動させる。このようにして、共振運動が起こることによって、人体の細胞や体液の分子の働きが活発となり、手足の血液循環を促進させることができるという効果を奏することができる。また、発生した遠赤外線によって、他の分子同士の運動が活発となり、他の分子同士が衝突を繰り返すようになる。衝突が繰り返されることによって、熱が発生する。したがって、加熱効果も奏することができる。
【００２６】
さらに、例えば、内容物２Ｂが芳香剤であり、改質剤９がマイナスイオンセラミックボールであり、ポンプ付き容器１がガスを吐出することができる容器である場合には、芳香剤の芳香の効果の他に、マイナスイオンセラミックボールから発生するマイナスイオンによる活性酸素の除去効果を奏することができる。なぜならば、マイナスイオンが増えると、例えば、体内のイオン化したナトリウム、カルシウムの量が増えて、体液を弱アルカリ性にするからである。
【００２７】
そして、例えば、内容物２Ｂが口臭防止剤であり、改質剤９がマイナスイオンセラミックボールであり、ポンプ付き容器１がガスを吐出することができる容器である場合には、口臭防止剤による口臭防止の効果の他に、マイナスイオンセラミックボールから発生するマイナスイオンによる人体内の活性酸素の除去効果を奏することができる。
【００２８】
前記実施形態において、内容物放出装置付き容器の一例として、ポンプ付き容器１を挙げているが、これに限られず、図４に示されるような、エアゾール式容器１１を挙げることができる。エアゾール式容器１１は、図１に示されるようなポンプ付き容器１とは、ポンプ装置３ではなく、バルブ装置１３を備えてなる点が異なる。
【００２９】
バルブ装置１３は、吸入管４と、バルブ装置本体１５とを有している。吸入管４は、ポンプ付き容器１（図１参照）と同様に、吸入口６Ａ側に収納箱体８が設けられている。
【００３０】
以下に、エアゾール式容器１１の作用を説明する。なお、内容物２Ｂの一例として、化粧水の場合を説明する。まず、ボタン１５Ａを押すことによって、バルブ装置本体１５が作動し、容器本体２内に貯留されている内容物２Ｂが内容物２Ｂの上方に充填された噴射剤ガス１６によって、加圧される。加圧された内容物２Ｂは、噴射剤ガス１６と混合し、吸引される。吸引された内容物２Ｂは、収納箱体８の多孔質構造８Ａを通過して、収納箱体８内の改質剤９に接触する。内容物２Ｂと接触した改質剤９は、改質剤９同士が接触するようになる。例えば、改質剤９がトルマリン石である場合には、トルマリン石同士が接触することによって、トルマリン石は、マイナスイオンを発生する。発生したマイナスイオンは、内容物２Ｂと共に、吸入口６Ａに吸引される。
【００３１】
吸入口６Ａに吸引されたマイナスイオンを含む内容物２Ｂは、フィルター７を通過する。内容物２Ｂがフィルター７を通過する際に、内容物２Ｂに含まれた不純物を除去することができる。フィルター７を通過した内容物２Ｂは、バルブ装置本体１５を通過し、容器本体２外へ吐出される。容器本体２外へ吐出されたマイナスイオンを含む内容物２Ｂは、例えば、人体の皮膚に接触すると、内容物２Ｂ自体、すなわち、化粧水自体の効果の他に、内容物２Ｂがマイナスイオンを含むことによる、皮膚の活性化の効果を奏することができる。
【図面の簡単な説明】
【００３２】
【図１】図１は、本発明の一例としてのポンプ付き容器の全体断面図である。
【図２】図２は、本発明の一例としてのポンプ付き容器の変形例を示す部分断面図である。
【図３】図３は、本発明の一例としてのポンプ付き容器の変形例を示す部分断面図である。
【図４】図４は、本発明の一例としてのエアゾール式容器の全体断面図である。
【符号の説明】
【００３３】
１    ポンプ付き容器
２    容器本体
２Ａ    開口部
２Ｂ    内容物
３    ポンプ装置
４    吸入管
４Ｂ    収納部
５    ポンプ装置本体
５Ａ    ボタン
５Ｂ    収納部
６    吸入管本体
６Ａ    吸入口
７    フィルター
８    収納箱体
８Ａ    多孔質構造
９    改質剤
１１    エアゾール式容器
１３    バルブ装置
１５    バルブ装置本体
１５Ａ    ボタン
１６    噴射剤ガス
【図１】
2006076648.tif 000003
【図２】
2006076648.tif 000004
【図３】
2006076648.tif 000005
【図４】
2006076648.tif 000006